(57)【要約】【課題】装飾パネルを状況に応じて分割して使用できるようにして、装飾パネルの現場の対応性を高めると共に、装飾部材等を個々に製造する場合に比して製造コストを低減する。【解決手段】装飾パネル２０は、装飾部材２１と、該装飾部材２１を切り離し可能に連結する連結部３３を介して一体に成型されたネームプレート２２とを備える。前記連結部３３には装飾部材２１及びネームプレート２２との接合部に折り取って切り離すための肉薄部或いは切り込みからなる切断線３３ａを予め形成しておく。【選択図】          図１
2007240764.tif 000002
【特許請求の範囲】
【請求項１】
装飾部材と、切り離し部となる連結部を介して前記装飾部材と一体に成型されたネームプレートとを備えたことを特徴とする装飾パネル。
【請求項２】
請求項１に記載された装飾パネルにおいて、
前記連結部に切り離しのための切断線が形成されていることを特徴とする装飾パネル。
【請求項３】
請求項１又は２に記載された装飾パネルにおいて、
前記装飾部材は、少なくとも１箇所にフックを備えていることを特徴とする装飾パネル。
【請求項４】
請求項１ないし３のいずれかに記載された装飾パネルを門柱に取り付けたことを特徴とする囲い体。
【発明の詳細な説明】
【技術分野】
【０００１】
本発明は、装飾パネルに関し、とくにその取付状況に応じて分割して使用可能な装飾パネル、及び装飾パネルを門柱に取り付けた囲い体に関する。
【背景技術】
【０００２】
ネームプレート（表札）はとくに目立つため装飾を施すことがあるが（特許文献１参照）、とくに門柱とフェンスのデザインを統一して、全体として装飾効果を高めた囲い体（門柱とフェンス、又は更に門扉を含めこれらを総称して囲い体という）等では、統一されたデザインの装飾を施したネームプレートが好まれる。
例えば、特許文献に記載されたものではないが、図６に示す囲い体では、フェンス４や支柱４ａとデザインを統一した門柱１（機能付き門柱）の上部位置に装飾を兼ねたネームプレートハンガー１１を取り付け、これにネームプレート１２を吊り下げており、また、同時に、ポストなどの機能部材だけではなく花台１０用の支持体８等の装飾用を兼ねた機能部材も門柱に取り付けられている。
【０００３】
このように、囲い体では、統一されたデザインの装飾性の高い機能部材が複数用いられることが多く、例えば、図６に示す例においても、統一されたデザインのネームプレートハンガー１１と花台用支持体８が用いられている。
ところで、門柱やフェンスに取り付ける装飾部材を兼ねた機能部材は、従来それぞれ個別に製造されている。そのため、装飾部材を囲い体のデザインに合わせて例えばアルミニウムや鉄などの鋳物で製造する場合には、門柱に取り付ける各機能部材毎に異なる装飾部材用の鋳型を用意しなければならず、製造が煩雑であるばかりではなく、コストが掛かるという問題がある。
【特許文献１】特開２００５−２７４７１０号公報
【発明の開示】
【発明が解決しようとする課題】
【０００４】
本発明は上記問題に鑑みなされたもので、その目的は、一体に成型された装飾パネルを現場の状況に応じて切り離して使用できるようにして、装飾パネルの現場での対応性を高めると共に、装飾部材等を個別に製造する場合に比して製造コストを低減することである。
【課題を解決するための手段】
【０００５】
請求項１の発明は、装飾パネルであって、装飾部材と、切り離し部となる連結部を介して前記装飾部材と一体に成型されたネームプレートとを備えたことを特徴とする。
【発明の効果】
【０００６】
本発明によれば、一体に成型した装飾パネルを適宜切り離して利用できるので、取付現場の状況に応じて装飾パネルを複数目的に使い分けることができ、現場での対応性が向上すると共に、製造型は一種類で済むため製造コストを低減することもできる。
【発明を実施するための最良の形態】
【０００７】
以下、本発明の実施形態を図面を参照して説明する。なお、図６に示す部材と同一のものは同一符号で示している。
図１は、本発明の装飾パネルの１実施形態を示す正面図である。同図に示すように、装飾パネル２０は、切り離し部となる連結部３３で連結された装飾部材２１とネームプレート２２とからなり、鋳型に例えばアルミニウムや鉄を主材とする金属を流し込んで一体に成型される。
装飾部材２１の装飾形状は任意であるが、ここでは、湾曲した線条体からなる本体部２３の両端部と中間位置の３箇所に湾曲部２４，２５，２６を有する上部材２１ａと、上部材２１ａに連結され同様に湾曲した線条体からなる本体部２７の両端の湾曲部２８、２９を有する下部材２１ｂとからなり、全体として植物の茎或いは蔦を模した装飾体を構成している。
上部材２１ａの端部湾曲部２４近傍には、表裏が平坦面３０をなし、この平坦面３０に開口する取付孔３１が形成された取付部３２が一体に形成されている。
【０００８】
装飾パネル２０には、上部材２１ａの本体部２３と中間の湾曲部２５の２箇所において、楕円形状のネームプレート２２への切り離し自在な連結部３３が形成されている。この連結部３３は、現場で例えばペンチ等の簡単な工具を用いて折り曲げて切り離す、つまり折り取りができるように他の部分より折れやすく形成されている。
また、切り離した後にバリ等が残らないように、連結部３３の適当な位置に切り離しを容易にするための、例えば切り込み（連結部３３の両側から所定巾の切り込み）や薄肉部などからなる切断線（又は折り取り線）３３ａを予め形成しておくことが好ましい。
【０００９】
図２は、装飾パネル２０のネームプレート２２を連結部３３で折り取って切り離し、装飾部材２１のみを用いる場合を示す。
この装飾部材２１は、後述するように取付孔３１が形成された取付部を連結金具４０（図３参照）で門柱等に取り付けることにより、ネームプレートして使用する他、その装飾部材２１の湾曲部２６，２９などをフラワーハンガー等のためのフックとして使用することができる。
【００１０】
図３は、装飾パネルを取付けた囲い体を示す正面図、図４は、装飾パネルと機能門柱の連結構造を示す斜視図である。
装飾パネル２０と前記門柱１、３との連結は、例えば図示する連結金具４０を用いて行う。即ち、連結金具４０は、門柱に対する取付面となる基片４２の側縁から長孔４３付きの１対の取付片４４，４４を直角に折曲げて立ち上げ形成し、基片４２を門柱１に対して止めねじ４１（図４）により固着する。続いて、連結金具４０の取付片４４の間に装飾パネル２０の取付部３２を嵌め込み、ボルト４５を長孔４３および取付孔３１に挿入し、反対側からワッシャ４６を介してナット４７で締付け固定する。
【００１１】
装飾部材２１の下部材２１ｂの湾曲部２９を、図３に示すように、機能門柱１とフェンス柱４ａとの間に取り付けた内側フェンス５０のフェンス縦材５１の上端湾曲部５１ａに当接させると、装飾パネル２０が、あたかもフェンス４や内側フェンス５０と連続しているように見える。このように、装飾パネル２０の装飾部材２１は、フェンス等の建造物の装飾と同一又は同系統のものとすることにより一体感を増し、意匠的効果を向上することができる。
【００１２】
図５は、他の実施形態の囲い体の正面図である。
この実施形態では、門柱（機能付き門柱）１側の構成は既に説明した第１の実施形態と同じであるが、門柱３にネームプレート２２を除去した装飾部材２１が取り付けられている。
即ち、門柱３の上部に取り付けた連結金具４０に装飾部材２１が取り付けられており、装飾部材２１の下部材の湾曲部２９を、門柱３とフェンス柱５ａとの間に配置された内側フェンス６４の縦材６５の上端湾曲部６５ａに当接させて、門柱３とフェンス５とを見掛け上一体化して意匠性を向上させている。
なお、本実施形態では、装飾部材２１の上部材２１ａの湾曲部２６にフラワーポット６６を吊り下げている。
【００１３】
以上の説明では、装飾パネル２０の装飾部材２１とネームプレート２２を切り離して装飾付きネームプレート或いは装飾付きフックとして使用するものとして説明したが、装飾部材２１自体を切り離して個別に使用できるように、複数の要素で構成して門柱やフェンス等の設置状況に応じて一体で用いたり、或いはネームプレートを切り離して装飾部材２１のみを用いたり、装飾部材２１を、例えば上部材２１ａと下部材２１ｂを連結部３３と同様に切り離し自在な連結部で連結し、更に切り離して別々に或いはその一部のみを使用するようにすることもできる。この場合は、それぞれの湾曲部をフラワーポットその他の物品を吊り下げるフックとして使用することができると共に、装飾部材に取付部を設けず例えば装飾部材の任意の部分を把持して門柱等に取り付けるようにすることが好ましい。このようにすることにより、装飾パネル２０の現場における適用の柔軟性が一層向上し、一つの装飾パネル２０を用いて門柱やフェンスの多様な装飾や機能が実現できる。
【図面の簡単な説明】
【００１４】
【図１】本発明の装飾パネルの実施形態を示す正面図である。
【図２】実施形態の装飾パネルのネームプレートカット状態を示す正面図である。
【図３】本発明の装飾パネルの使用形態を示す、囲い体の正面図である。
【図４】装飾パネルの連結部分の分解斜視図である。
【図５】本発明の装飾パネルの他の使用形態を示す、囲い体の正面図である。
【図６】従来の囲い体の正面図である。
【符号の説明】
【００１５】
１・・・機能門柱（建造物）、３・・・門柱（建造物）、４・・・フェンス、２０・・・装飾パネル、２１・・・装飾部材、２２・・・ネームプレート、２６・・・湾曲部（ハンギング部）、３０・・・平坦面、３１・・・取付孔、３２・・・取付部、３３・・・連結部、４０・・・装飾パネル連結金具、４４・・・取付片、４５・・・止ねじ。
【図１】
2007240764.tif 000003
【図２】
2007240764.tif 000004
【図３】
2007240764.tif 000005
【図４】
2007240764.tif 000006
【図５】
2007240764.tif 000007
【図６】
2007240764.tif 000008